(57)【特許請求の範囲】
【請求項１】
導電性非磁性材が溶解してできる溶湯を流すための配管と、
この配管中の前記溶湯中に磁力線を貫通させ、この磁力線を移動させることにより生じる力によって、前記配管中の前記溶湯を搬送する永久磁石と、
を備え、
前記配管は少なくともその一部がほぼ円弧状に曲げ加工された円弧部を有し、
前記永久磁石は、前記配管の前記円弧部の円弧に沿って回転可能に軸支されており、
前記永久磁石は、回転可能に軸支されたディスクの表面に取り付けられており、
前記ディスクには、同心円状に複数の永久磁石が取り付けられており、
前記ディスクに同心円状に取り付けられた前記複数の永久磁石は、その隣接する永久磁石同士が交互に異極になるように配置された、
ことを特徴とする溶湯搬送ポンプ。
【請求項２】
導電性非磁性材が溶解してできる溶湯を流すための配管と、
この配管中の前記溶湯中に磁力線を貫通させ、この磁力線を移動させることにより生じる力によって、前記配管中の前記溶湯を搬送する永久磁石と、
を備え、
前記配管は少なくともその一部がほぼ円弧状に曲げ加工された円弧部を有し、
前記永久磁石は、前記配管の前記円弧部の円弧に沿って回転可能に軸支されており、
前記永久磁石は所定の間隔で少なくとも２つ設けられており、これらの２つの永久磁石の間に前記配管の前記円弧部が配置されているとともに、これらの２つの永久磁石は互いに向かい合う面に異極がくるように配置されており、
前記永久磁石は、回転可能に軸支されたディスクの表面に取り付けられており、
前記ディスクには、同心円状に複数の永久磁石が取り付けられており、
前記ディスクに同心円状に取り付けられた前記複数の永久磁石は、その隣接する永久磁石同士が交互に異極になるように配置された、
ことを特徴とする溶湯搬送ポンプ。
【請求項３】
導電性非磁性材が溶解してできる溶湯を流すための配管と、
この配管中の前記溶湯中に磁力線を貫通させ、この磁力線を移動させることにより生じる力によって、前記配管中の前記溶湯を搬送する永久磁石と、
を備え、
前記配管は少なくともその一部がほぼ円弧状に曲げ加工された円弧部を有し、
前記永久磁石は、前記配管の前記円弧部の円弧に沿って回転可能に軸支されており、
前記永久磁石は所定の間隔で少なくとも２つ設けられており、これらの２つの永久磁石の間に前記配管の前記円弧部が配置されているとともに、これらの２つの永久磁石は互いに向かい合う面に異極がくるように配置されており、
前記配管を挟んで一対のディスクがそれぞれ回転可能に軸支されており、これらの各ディスクの向かい合う各面に、それぞれ前記永久磁石が少なくとも１つ取り付けられており、
前記互いに向かい合う一対のディスクのそれぞれには、同心円状に複数の永久磁石が取り付けられており、
一方のディスクに取り付けられた永久磁石と、他方のディスクに取り付けられた永久磁石とは、互いに向かい合っており、
前記ディスクに同心円状に取り付けられた前記複数の永久磁石は、その隣接する永久磁石同士が交互に異極になるように配置された、
ことを特徴とする溶湯搬送ポンプ。
【請求項４】
導電性非磁性材が溶解してできる溶湯を流すための配管と、
この配管中の前記溶湯中に磁力線を貫通させ、この磁力線を移動させることにより生じる力によって、前記配管中の前記溶湯を搬送する永久磁石と、
を備え、
前記配管は少なくともその一部がほぼ円弧状に曲げ加工された円弧部を有し、
前記永久磁石は、前記配管の前記円弧部の円弧に沿って回転可能に軸支されており、
前記永久磁石は、回転可能に軸支されたディスクの表面に取り付けられており、
前記配管を挟んで一対のディスクがそれぞれ回転可能に軸支されており、これらの各ディスクの向かい合う各面に、それぞれ前記永久磁石が少なくとも１つ取り付けられており、
前記互いに向かい合う一対のディスクのそれぞれには、同心円状に複数の永久磁石が取り付けられており、
一方のディスクに取り付けられた永久磁石と、他方のディスクに取り付けられた永久磁石とは、互いに向かい合っており、
前記ディスクに同心円状に取り付けられた前記複数の永久磁石は、その隣接する永久磁石同士が交互に異極になるように配置された、
ことを特徴とする溶湯搬送ポンプ。
【発明の詳細な説明】
【０００１】
【発明の属する技術分野】
本発明は溶湯搬送ポンプに関するものであり、特に、アルミニウム、アルミニウム合金、銅等の導電性非磁性材を原料とする製品の製造に際し、このアルミニウム、アルミニウム合金、銅等が溶解してできた溶湯を所定の場所、例えば、ダイカスト用金型や各種の鋳型等へ搬送する永久磁石式の溶湯搬送ポンプに関する。
【０００２】
【従来の技術】
従来の、この種の溶湯搬送ポンプとしては、インペラーを配管内の溶湯に直接挿入し、このインペラーをモータで回転させて、溶湯を搬送するインペラー式のものがあった。また、電磁樋式と呼ばれる、樋の下に電磁コイルを埋設し、移動磁界を発生させて電磁力により溶湯を搬送する電磁樋式のものもあった。
【０００３】
【発明が解決しようとする課題】
上記のインペラー式のものでは、高温の溶湯内にインペラーを直接挿入して回転させるため、インペラーの寿命が著しく短いという問題があった。また、インペラーを介して溶湯の熱がモータに伝わり、いわゆるポンプ全体が高温となることから、ポンプの冷却に冷風を送る機構が必要となり、構造が複雑で、高価格化するとともに、操作性も良くないという問題があった。
【０００４】
一方、電磁樋式のものでは樋内の溶湯にまで磁力線を通さねばならないため、電磁コイルに大電流を供給しなければならなかった。このため、電磁コイルにおける発熱が著しく大きく、この冷却のためにコイル素材として中空銅線を用いて、この中空銅線内に冷却水を循環させることにより冷却していた。この中空銅線の冷却水用の通路の内側直径は、通常、約４ｍｍから６ｍｍ程度と細く、スケール等の異物により詰まりやすかった。中空銅線の通路が詰まると、電磁コイルの冷却が不十分となり、電磁コイルの発熱により電磁コイルが焼損するという問題があった。また、コイルに大電流を流す必要があるため、消費電力が非常に大きく、ランニングコスト、製造コストも高かった。しかも、消費電力が大きいにもかかわらず、搬送ポンプの揚程は小さかった。さらに、コイル素材として中空銅線を用い、冷却水の循環装置を設ける必要があることから、装置が大規模になるとともに、製造コストの増加も招いていた。
【０００５】
このように、これら従来型のいずれのものも多くの問題点を抱えていた。
【０００６】
本発明は、このような従来技術の問題点に着目してなされたものであり、構造が簡単で、製造コスト及びランニングコストが安価で、故障が生ずる可能性が低く、省スペースで、可搬式の溶湯搬送ポンプの提供を目的とする。
【０００７】
【課題を解決するための手段】
上記課題を解決するため、本発明に係る溶湯搬送ポンプは、
導電性非磁性材が溶解してできる溶湯を流すための配管と、
この配管中の前記溶湯中に磁力線を貫通させ、この磁力線を移動させることにより生じる力によって、前記配管中の前記溶湯を搬送する永久磁石と、
を備え、
前記配管は少なくともその一部がほぼ円弧状に曲げ加工された円弧部を有し、
前記永久磁石は、前記配管の前記円弧部の円弧に沿って回転可能に軸支されており、
前記永久磁石は、回転可能に軸支されたディスクの表面に取り付けられており、
前記ディスクには、同心円状に複数の永久磁石が取り付けられており、
前記ディスクに同心円状に取り付けられた前記複数の永久磁石は、その隣接する永久磁石同士が交互に異極になるように配置された、
ことを特徴とするものである。
さらに、本発明に係る溶湯搬送ポンプは、
導電性非磁性材が溶解してできる溶湯を流すための配管と、
この配管中の前記溶湯中に磁力線を貫通させ、この磁力線を移動させることにより生じる力によって、前記配管中の前記溶湯を搬送する永久磁石と、
を備え、
前記配管は少なくともその一部がほぼ円弧状に曲げ加工された円弧部を有し、
前記永久磁石は、前記配管の前記円弧部の円弧に沿って回転可能に軸支されており、
前記永久磁石は所定の間隔で少なくとも２つ設けられており、これらの２つの永久磁石の間に前記配管の前記円弧部が配置されているとともに、これらの２つの永久磁石は互いに向かい合う面に異極がくるように配置されており、
前記永久磁石は、回転可能に軸支されたディスクの表面に取り付けられており、
前記ディスクには、同心円状に複数の永久磁石が取り付けられており、
前記ディスクに同心円状に取り付けられた前記複数の永久磁石は、その隣接する永久磁石同士が交互に異極になるように配置された、
ことを特徴とするものである。
さらに、本発明に係る溶湯搬送ポンプは、
導電性非磁性材が溶解してできる溶湯を流すための配管と、
この配管中の前記溶湯中に磁力線を貫通させ、この磁力線を移動させることにより生じる力によって、前記配管中の前記溶湯を搬送する永久磁石と、
を備え、
前記配管は少なくともその一部がほぼ円弧状に曲げ加工された円弧部を有し、
前記永久磁石は、前記配管の前記円弧部の円弧に沿って回転可能に軸支されており、
前記永久磁石は所定の間隔で少なくとも２つ設けられており、これらの２つの永久磁石の間に前記配管の前記円弧部が配置されているとともに、これらの２つの永久磁石は互いに向かい合う面に異極がくるように配置されており、
前記配管を挟んで一対のディスクがそれぞれ回転可能に軸支されており、これらの各ディスクの向かい合う各面に、それぞれ前記永久磁石が少なくとも１つ取り付けられており、
前記互いに向かい合う一対のディスクのそれぞれには、同心円状に複数の永久磁石が取り付けられており、
一方のディスクに取り付けられた永久磁石と、他方のディスクに取り付けられた永久磁石とは、互いに向かい合っており、
前記ディスクに同心円状に取り付けられた前記複数の永久磁石は、その隣接する永久磁石同士が交互に異極になるように配置された、
ことを特徴とするものである。
さらに、本発明に係る溶湯搬送ポンプは、
導電性非磁性材が溶解してできる溶湯を流すための配管と、
この配管中の前記溶湯中に磁力線を貫通させ、この磁力線を移動させることにより生じる力によって、前記配管中の前記溶湯を搬送する永久磁石と、
を備え、
前記配管は少なくともその一部がほぼ円弧状に曲げ加工された円弧部を有し、
前記永久磁石は、前記配管の前記円弧部の円弧に沿って回転可能に軸支されており、
前記永久磁石は、回転可能に軸支されたディスクの表面に取り付けられており、
前記配管を挟んで一対のディスクがそれぞれ回転可能に軸支されており、これらの各ディスクの向かい合う各面に、それぞれ前記永久磁石が少なくとも１つ取り付けられており、
前記互いに向かい合う一対のディスクのそれぞれには、同心円状に複数の永久磁石が取り付けられており、
一方のディスクに取り付けられた永久磁石と、他方のディスクに取り付けられた永久磁石とは、互いに向かい合っており、
前記ディスクに同心円状に取り付けられた前記複数の永久磁石は、その隣接する永久磁石同士が交互に異極になるように配置された、
ことを特徴とするものである。
【０００８】
【発明の実施の形態】
本発明の実施形態に係る溶湯搬送ポンプは、簡単にいえば、溶湯を流すための配管の外側に回転可能に軸支されたディスクを設け、このディスクに永久磁石を取り付けるとともに、このディスクを回転させることにより配管内の溶湯を搬送するものである。以下、本発明の実施の形態を図１乃至図５に基づいて詳細に説明する。
【０００９】
図１は本発明の溶湯搬送ポンプの正面図であり、図２は図１のII−II線断面図である。図１は、図２との関係でいえば、図２の矢印Ａ方向から見た図である。特に図２からもわかるように、溶湯搬送ポンプＰは、強磁性材からなる円盤状のディスク１１Ｌ、１１Ｒを一対有している。これらのディスク１１Ｌ、１１Ｒは回転可能に軸支されている。すなわち、これらのディスク１１Ｌ、１１Ｒの中心を回転軸１２が貫通して互いに連結されており、両ディスクが距離的に離れた状態で、同心的に一体に回転するようになっている。この回転軸１２の左右両端はベアリングを備えた支持部１３Ｌ、１３Ｒによって回転自在に両持支持されている。前記ディスク１１Ｌ、１１Ｒの互いに向かい合う内側の面には、それぞれ永久磁石１４Ｌ、１４Ｒが取り付けられている。これらの永久磁石１４Ｌ、１４Ｒは、ステンレス等の非磁性材からなるカバー１５Ｌ、１５Ｒで覆われている。前記ディスク１１Ｌ、１１Ｒと前記回転軸１２とによって、永久磁石１４Ｌ、１４Ｒを移動させるための、本実施形態における磁界移動手段が構成されている。特に図１からもわかるように、前述の永久磁石１４は、ディスク１１にほぼ９０度間隔で４個づつ設けられている。例えば、左側のディスク１１Ｌには、永久磁石１４Ｌａ乃至１４Ｌｄの４つが設けられている。これら永久磁石１４Ｌａ乃至１４Ｌｄは、正面から見た状態において、交互に極性が異なるように配置されている。図２からもわかるように、ディスク１１Ｌと向かい合うディスク１１Ｒにも、永久磁石１４Ｒａ乃至１４Ｒｄの４つの永久磁石が取り付けられている。これら図中右側に設けられた永久磁石１４Ｒａ乃至１４Ｒｄも前述の図中左側に設けられた永久磁石１４Ｌａ乃至１４Ｌｄと同様に、交互に極性が異なるように配置されている。
【００１０】
特に図２からわかるように、図中左側のディスク１１Ｌに設けられた永久磁石１４Ｌａ乃至１４Ｌｄと、これに向かい合う図中右側のディスク１１Ｒに設けられた永久磁石１４Ｒａ乃至１４Ｒｄは、その向かい合う極が異なるように、すなわち互いに引き合うように配置されている。例えば、永久磁石１４Ｌａの内側にはＳ極が配置され、これと向かい合う永久磁石１４Ｒａの内側にはＮ極が配置される。このため、永久磁石１４Ｒａから永久磁石１４Ｌａに向かって磁力線が配管２０内の溶湯を貫通する。また、永久磁石１４Ｌｄの内側にはＮ極が配置され、これと向かい合う永久磁石１４Ｒｄの内側にはＳ極が配置される。このため、永久磁石１４Ｌｄから永久磁石１４Ｒｄに向かって磁力線が配管２０内の溶湯を貫通する。このような図中左側の永久磁石１４Ｌと図中右側の永久磁石１４Ｒとの互いに向かい合う極が異なる関係、すなわち互いに引き合う関係は、ディスク１１Ｌとディスク１１Ｒとが回転軸１２を介して一体に回転するので、変わることはない。
【００１１】
前述の永久磁石１４Ｌと永久磁石１４Ｒとの間には、非磁性ステンレス材、セラミック材、耐熱レンガ等の材料からなる配管２０が、これらの永久磁石１４Ｌ、１４Ｒと接触しないように設けられている。この配管２０内においては、前述のディスク１１Ｌ、１１Ｒの回転駆動により、アルミニウム、アルミニウム合金、銅等の導電性非磁性材が溶解してできた溶湯が流れるようになっている。
【００１２】
特に図１からわかるように、配管２０は管２１とその両端に形成されたフランジ部２２、２３から構成されている。図中左側のフランジ部２２側には吸入口２４が形成されており、図中右側のフランジ部２３側には、吐出口２５が形成されている。すなわち、吸入口２４から取り込まれた溶湯は溶湯搬送ポンプＰにより吐出口２５から送り出されるようになっている。管２１は、ディスク１１Ｌ、１１Ｒの永久磁石１４Ｌ、１４Ｒの取付位置に沿うように、ディスク１１と同心的に下方へ円弧状に曲げ加工された円弧部２１ａを備えている。配管２０は、前述のフランジ部２２、２３により、図示しない他の配管に容易に接続することができるようになっている。
【００１３】
図２からわかるように、溶湯搬送ポンプＰの図中左側には、この溶湯搬送ポンプＰを回転駆動させるための駆動手段３０が設けられている。この駆動手段３０はモータ３１を備えている。このモータ３１の回転軸には駆動プーリ３２が設けられている。この駆動プーリ３２は、ベルト３４によって、前記回転軸１２の左端に設けられた非駆動プーリ３３と連繋されている。
【００１４】
次に本実施形態の動作を説明する。図１及び図２からわかるように、モータ３１が回転すると、駆動プーリ３２が回転し、ベルト３４を介して非駆動プーリ３３が回転する。これに伴い、回転軸１２が回転し、この回転軸１２に固定されているディスク１１Ｌ、１１Ｒも回転する。このディスク１１Ｌ、１１Ｒの回転に伴い、これに取り付けられている永久磁石１４Ｌ、１４Ｒも回転する。すると、配管２０内の溶湯を貫通している磁力線も回転し、この磁力線の回転によって溶湯に送り出す力Ｆが加えられ、配管２０内の溶湯が吸入口２４から吐出口２５へ送り出される。本実施形態では、ディスク１１Ｌ、１１Ｒの回転数は１０００〜３０００ｒｐｍ程度である。
【００１５】
より詳しい動作を図３乃至図５に基づいて説明する。図３は、図１においてディスク１１Ｌを透過し、かつ、駆動手段３０等の一部の部材を省略して渦電流を示す図であり、図４は、図３におけるディスク１１Ｌ、１１Ｒ及び永久磁石１４Ｌ、１４ＲのIV−IV線端面図を用いて磁力線の向きを示す図、図５は同じようにＶ−Ｖ線端面図を用いて磁力線の向きを示す図である。
【００１６】
図４及び図５からわかるように、永久磁石１４Ｌと永久磁石１４Ｒは互いに引き合うように、向かい合う永久磁石同士の極性が異なるように配置されている。このため、磁力線は永久磁石１４Ｌと永久磁石１４Ｒとの間を直線的に結び、平行磁場を形成する。すなわち、磁力線が配管２０内の溶湯を直線的に貫くこととなる。しかも、特に図４からわかるように、隣り合う永久磁石同士の極性が異なるように配置されているので、その磁力線の向きは交互に異なることとなる。
【００１７】
図３からわかるように、ディスク１１Ｌ、１１Ｒが矢印Ｂ方向に回転することにより、永久磁石１４Ｌ、１４Ｒが矢印Ｂ方向に回転すると、この磁力線も矢印Ｂ方向に回転する。すなわち、交互に向きの異なる磁力線が次々に配管２０の円弧部２１ａの円弧に沿って溶湯内を移動することとなる。このとき、溶湯内には、永久磁石１４Ｌ、１４Ｒの前後に誘導起電力Ｅが発生し、この結果、渦電流が流れる。この渦電流により、永久磁石１４Ｌ、１４Ｒと配管２０内の溶湯との間に、反発力ｆ及び吸引力ｆが生じる。
【００１８】
例えば、図５からわかるように、永久磁石１４Ｌｂとこれと向かい合う永久磁石１４Ｒｂとの間には、永久磁石１４Ｌｂから永久磁石１４Ｒｂへ向かう方向に磁力線が結ばれている。このため、図３からわかるように、この一対の永久磁石１４Ｌｂ、１４Ｒｂが矢印Ｂの方向へ動くと、図３において、その移動方向後方の溶湯内には時計回りの渦電流ｉ１が発生し、その移動方向前方の溶湯内には反時計回りの渦電流ｉ２が発生する。この渦電流ｉ１と永久磁石１４Ｌｂ、１４Ｒｂとの間には吸引力ｆ１が生じ、この渦電流ｉ２と永久磁石１４Ｌｂ、１４Ｒｂとの間には反発力ｆ２が生ずる。
【００１９】
これと同じ原理により、永久磁石１４Ｌｃ、１４Ｒｃの移動により吸引力ｆ３及び反発力ｆ４が、永久磁石１４Ｌｄ、１４Ｒｄの移動により吸引力ｆ５及び反発力ｆ６が生ずる。よって、溶湯を吐出口２５へ送り出す力Ｆとしてこれらを合計した力が発生する。すなわち、Ｆは式（１）で表される。
【００２０】
Ｆ＝ｆ１＋ｆ２＋ｆ３＋ｆ４＋ｆ５＋ｆ６        （１）
この送り出す力Ｆによって、配管２０内の溶湯が吸入口２４から吐出口２５へ送り出される。なお、図３に示すディスク１１の状態では、永久磁石１４Ｌａ、１４Ｒａは配管２０のある位置から外れているので、溶湯の送り出しに関与していないが、矢印Ｂの方向へディスク１１がさらに回転し、配管２０のある位置に入ることにより、溶湯の送り出しに関与するようになる。この永久磁石１４Ｌａ、１４Ｒａと入れ替わりに、永久磁石１４Ｌｄ、１４Ｒｄが配管２０のある位置から外れ、溶湯の送り出しに関与しないようになる。つまり、本実施形態においては、常時３対の永久磁石を用いて、溶湯を送り出すこととなる。前記誘導起電力Ｅは、式（２）で表される。
【００２１】
Ｅ＝−ｄΦ／ｄｔ                              （２）
Φ：磁束
ｔ：時間
したがって、ディスク１１の回転数を上げれば、ｄｔが小さくなるため、誘導起電力Ｅは大きくなり、送り出す力Ｆも大きくなる。すなわち、モータ３１の回転数を上げるだけで、溶湯搬送ポンプＰの送り出す力Ｆ、つまり揚程は大きくなる。
【００２２】
以上のように、本実施形態の溶湯搬送ポンプＰにおいては、磁界発生部である永久磁石１４が配管２０の外部に設けられているので、高温の溶湯に直接さらさることはない。このため、従来必要とされた複雑な冷却装置は不要となり、製造コストの低減、装置の小型化を図ることができる。しかも、永久磁石１４を取り付けたディスク１１を配管２０の外側に設置するだけで、ポンプとして使用できるので、必要に応じて溶湯搬送ポンプを移動させることができ、溶湯搬送ポンプを可搬式の装置とすることができる。このように装置が単純化するので、メンテナンスも不要とすることができる。しかも、電力としてはモータ３１の駆動電力だけで足りるので、従来の電磁樋式のポンプのように大電力を必要としなくなり、ランニングコストの低減を図ることができる。
【００２３】
さらに、溶湯搬送ポンプＰの吐出圧、吐出量、揚程もディスク１１に取り付ける永久磁石１４の個数、磁界の強さ又はモータ３１の回転数等を変えることにより、自由に変更することができる。すなわち、設計自由度の高い、非常に効率のよいポンプとすることができる。
【００２４】
そのうえ、永久磁石１４Ｌ、１４Ｒの隣り合う永久磁石同士の極性が異なるように配置したので、効率的に配管２０内の溶湯を搬送することができる。さらにまた、永久磁石１４Ｌ、１４Ｒの向かい合う永久磁石同士が互いに引き合うように永久磁石を配置したので、溶湯内を磁力線が貫通し、効率的に配管２０内の溶湯を搬送することができる。
【００２５】
図６は、配管２０の他の例を、ディスク１１Ｌ、１１Ｒと永久磁石１４Ｌ、１４Ｒとの関係で、示す部分断面図である。この図６からわかるように、配管２０の管２１’を、図２に示したような円形断面状の管２１ではなく、矩形断面状の管２１’としたものであり、この点で上記実施形態と相違する。このような管２１’を配管２０に用いることにより、永久磁石１４Ｌと永久磁石１４Ｒとの距離Ｌを可及的に狭めることができる。すなわち、矩形状の永久磁石１４Ｌ、１４Ｒの内側の面に、近接して沿わせるように管２１’を配置することができる。このため、永久磁石１４Ｌ、１４Ｒからの磁力線を無駄なく効率的に管２１’内の溶湯に及ぼすことができる。
【００２６】
なお、本発明は上記実施形態に限定されず、種々に変形が可能であり、例えば、上記磁界移動手段は、ディスク１１Ｌ、１１Ｒと回転軸１２とで構成されたが、他の構成によって永久磁石１４Ｌ、１４Ｒによって生じた磁界を移動させることも可能である。このディスク１１も必ずしも２枚必要なものではなく、どちらか１枚でもよい。永久磁石１４Ｌ、１４Ｒの個数についても任意数とすることができる。例えば、永久磁石１４Ｌ、１４Ｒを、４５度間隔、６０度間隔で設けることもできる。しかも、配管２０の湾曲は必ずしも下向きではなく、水平方向へ湾曲していてもよく、さらには、この湾曲は必ずしも必要なものではなく、配管２０は直管的なものであってもよい。
【００２７】
【発明の効果】
本発明に係る溶湯搬送ポンプによれば、導電性非磁性材が溶解してできる溶湯を貫通する磁力線を発生する永久磁石を設け、この永久磁石を磁界移動手段で移動させることにより、磁力線が溶湯内を貫通した状態で移動させて、溶湯に送り出す力を加えることにした。このため、溶湯搬送ポンプの製造コスト及びランニングコストの低減を図ることができる。
【図面の簡単な説明】
【図１】本発明に係る溶湯搬送ポンプの正面図。
【図２】図１のII−II線断面図。
【図３】磁力線の移動により生ずる渦電流を示す図。
【図４】永久磁石により生ずる磁力線の向きを示す図３のIV−IV線端面図。
【図５】永久磁石により生ずる磁力線の向きを示す図３のＶ−Ｖ線端面図。
【図６】配管の他の例を示す部分断面図。
【符号の説明】
Ｐ  溶湯搬送ポンプ
１１Ｌ、１１Ｒ  ディスク
１２  回転軸
１３  支持部
１４Ｌ、１４Ｒ  永久磁石
２０  配管
２１  管
３０  駆動手段
３１  モータ
【図１】
0003824365.tif 000002
【図２】
0003824365.tif 000003
【図３】
0003824365.tif 000004
【図４】
0003824365.tif 000005
【図５】
0003824365.tif 000006
【図６】
0003824365.tif 000007